(57)【要約】      （修正有）【課題】任意の場所に簡便に園芸用ネット造作物を自作できる組立て式園芸用ネット懸架装置を提供する。【解決手段】天地方向に設置する２本の伸縮式パイプ支柱１と、当該両支柱１の上先端部に橋架け装着する１本のネット懸架部品より構成される。【選択図】図１
0003157390.tif 000002
【実用新案登録請求の範囲】
【請求項１】
天地方向に設置する２本の伸縮式パイプ支柱と、当該両支柱の先端部（天側）に橋架け装着する１本のネット懸架部を主構成部品とする組立て式園芸用ネット懸架装置。
【請求項２】
ネット懸架部は布帛或いは繊維製テープまたは樹脂製の外装部と当該外装部に挿入する心材によって成し、而も伸縮式パイプ支柱径より小さな径を有する円形挿入孔を当該外装部の長辺方向の両端に各１穴を設ける請求項１の組立て式園芸用ネット懸架装置。
【請求項３】
２本の伸縮式パイプ支柱の先端部（天側）より約１０ｃｍ程度の部位をテーパー加工を施し、ネット懸架部に設けた円形挿入孔に挿入できることを特徴とする請求項１〜２の組立て式園芸用ネット懸架装置。
【考案の詳細な説明】
【技術分野】
【０００１】
本考案は、天地方向に設置する２本の伸縮式パイプ支柱と、当該両支柱の先端部に橋架け装着する１本のネット懸架部品より構成される組立て式園芸用ネット懸架装置であって、任意の場所での簡便な設置と撤収や多様な連結が容易に実施できる特徴を有する組立て式園芸用ネット懸架装置。
【背景技術】
【０００２】
一般的には園芸用支柱とネットを用いて構造物を自作し、園芸用プランター等に構造物を突き刺し（特許文献１参照）、或いは壁面等を利用して斜めに設置して植物を育成する例がある。
【０００３】
家屋の軒下やバルコニーに懸架フックを設置、或いは既存の懸架設備を活用して、これにネットを吊り下げて蔓物植物等を育成する例がある。
【先行技術文献】
【特許文献】
【０００４】
【特許文献１】特開２００８−２８３９５１号公報
【考案の概要】
【考案が解決しようとする課題】
【０００５】
（１）園芸用ネット造作物を自作する場合、設置予定場所の諸条件を勘案して造作する必要があり、任意の場所に簡便に造作できるとは限らない。
（２）既存マンションなどの建物では、園芸用ネットを吊下げるフック等を備えている住居は少なく、当該設備を新たに造作設置する場合には制限や制約を受ける場合がある。
（３）一般的に園芸用ネット造作物は平面的に造作され、容易に連結配置できる園芸用ネット造作物は稀であって、而も植物が繁茂した後の当該造作物を移動させることは困難である。
【課題を解決するための手段】
【０００６】
天地方向に設置する２本の伸縮式パイプ支柱と、当該両支柱の先端部に橋架け装着する１本のネット懸架部で構成し、而もネット懸架部の外装部長辺方向の両端に当該パイプ支柱を通すための挿入孔を有することを特徴とする。
【考案の効果】
【０００７】
（１）請求項１〜３により、２本の伸縮式パイプ支柱の両先端部（天部）をネット懸架部両端に設けた挿入孔に挿入するだけで設置ができるので、一般的な造作に必要な道具や資材は不要であり、また撤収も容易であり而も余分なゴミも出ない。
（２）本考案は最小限の部品で構成され、さらにパイプ支柱は伸縮式のためコンパクトな収納ができる。
（３）マンション等のテラスやバルコニーでは上階部構造物と床面の間に本考案を直立させて設置するので、建築構造物に傾斜設置する手段に比べてスペースの有効活用ができる。而も床面に段差ある場所でも伸縮式パイプ支柱の長さを調節することで園芸用ネットの水平懸架ができる。
【０００８】
（１）請求項２と３の特徴により、本装置を屏風形状に連続拡張する場合は、１組の本装置の片側の伸縮式パイプ支柱に、次に連結するネット懸架部と伸縮式パイプ支柱の２本で逆L字型に組んだ装置を挿入連結し、この作業を繰り返せば広範囲の場所でも短時間で設置ができる。
（２）また、１本の伸縮式パイプ支柱を中心支柱とし、これに前述（４）の逆L字型装置を３組以上挿入装着すれば、放射状に連結した本考案の造作ができ、単位面積あたりの植物の育成効率の高い園芸用ネット造作物ができるとともに、インテリアまたはエクステリア造形物としての応用ができる。
【図面の簡単な説明】
【０００９】
【図１】第１実施形態の組立て設置状態の正面図である。
【図２】（ａ）、（ｂ）は第１実施形態のネット懸架部先端部及び装着部品図（部分図）である。
【図３】（ａ）、（ｂ）は第１実施形態のアルミパイプ内蔵の伸縮構造解説図である。
【図４】（ａ）〜（ｃ）は第２実施形態の連結形態を示す図である。
【考案を実施するための形態】
【００１０】
以下、本考案の実施の形態を示す図１〜図４に基づき説明する。
【００１１】
（第１実施形態）
図１は本考案の実施形態を段差のある場所に設置した正面図である。外径２０ｍｍアルミパイプ２と外形１８ｍｍアルミパイプ３より成る左右の伸縮式パイプ支柱１の長さを調節し、ネット懸架部６を水平に保つことで園芸用ネット１１は一方に偏ることはない。また、左右の伸縮式パイプ支柱１の両端にラバープロテクター４を装着して、天井構造物１０と床面構造物２０を傷つけない働きと、且、ラバープロテクター４の接せつ面に生じる摩擦力によって、伸縮式パイプ支柱がズレ動くことを防止している。実施例の伸縮式パイプ支柱１の長さは最大約３メートル、最小約１．６ｍ、ネット懸架部の長さは約０．９ｍを実施設計数値としている。
【００１２】
（１）図２（ｂ）のネット懸架部６は園芸用ネット１１の荷重に耐え、そり曲がらないために、ネット懸架部６の両端に設けた内径１７ｍｍハトメ７の手前までの長さの外径１８ｍｍアルミパイプ３を心材としており、平織りナイロンテープ８で包み込むように縫製糸１８で縫合している。
（２）内径１７ｍｍハトメ７の孔は図２（ａ）のテーパー部位９に挿入装着され、ネット懸架部６は伸縮式パイプ支柱１を中心に３６０度回転する。テーパー部位９は複数のネット懸架部９を挿入する余裕を持たせるために、先端部から約１０ｃｍ、先端外径は１２ｍｍを実施設計数値としている。
【００１３】
（１）図３（ａ）、（ｂ）は衝撃吸収機能を有する伸縮式杖やストックに通常用いられる装置を伸縮式パイプ支柱１の内部に応用装填した図であり、伸縮式パイプ支柱１の長さ調節と固定機能と、さらに当該装置の衝撃吸収機能を伸縮式パイプ支柱１の直立保持力とした解説図である。
（２）長さ調節と固定機能の仕組みは、樹脂製ソケット１３の側面が拡張して外径２０ｍｍアルミパイプ２のパイプ内壁面１６との間に生じる面摩擦によって図３（ａ）の如く固定し、同図（ｂ）で樹脂製ソケット１３は収縮し、伸縮式パイプ支柱１の長さを調節することができる。
（３）面摩擦の仕組みは、パイプかしめ部１５で外径１８ｍｍアルミパイプに固定された円錐ネジ１２が、パイプの回転によって締込まれると樹脂製ソケット１３に設けたスリット１７が拡張し（図３（ａ））、パイプの逆回転によって円錐ネジ１２が戻ることによって同スリット１７が収縮する（図３（ｂ））。
（４）伸縮式パイプ支柱１の直立保持力は、天井構造物１０と床面構造物２０を支持面として設置する場合に、伸縮式パイプ支柱１の長さを固定した際に生じるスプリング１４の反発力が有効な伸縮式パイプ支柱１の保持力となる。
【００１４】
（第２実施形態）
図４は本考案を連結して３種類の園芸用ネット懸架装置造作例図である。
（１）図４（ａ）は６本の伸縮式パイプ支柱１と５枚の園芸用ネット１１と５本のネット懸架部６で左右方向に連結結合した概略図であり、広範囲に植物を育成する場所に適した方法である。本考案装置が屋外で自立するように、折れ線グラフ状に各装置を連結し、両端の伸縮式パイプ支柱１とペグ（杭）２１はロープ１９によって支えられている。
（２）図４（ｂ）は４本の伸縮式パイプ支柱１と４枚の園芸用ネット１１で正四角形状に連結した造作の垂直俯瞰概略図であって、柱など建築構造物の周囲を被う手段として適している。
（３）図４（ｃ）は７本の伸縮式パイプ支柱１と６枚の園芸用ネット１１で放射形状に連結した造作の垂直俯瞰外略図であって、限られたスペースに効率的に植物を育成する手段として適している。
【符号の説明】
【００１５】
１  伸縮式アルミパイプ支柱
２  外径２０ｍｍアルミパイプ
３  外径１８ｍｍアルミパイプ
４  ラバープロテクター
５  樹脂製スリーブ
６  ネット懸架部
７  内径１７ｍｍハトメ
８  平織りナイロンテープ
９  テーパー部位
１０  天井構造物
１１  園芸用ネット
１２  円錐ネジ
１３  樹脂製ソケット
１４  スプリング
１５  パイプかしめ部
１６  パイプ内壁面
１７  スリット
１８  縫製糸
１９  ロープ
２０  床面構造物
２１  ペグ（杭）
【図１】
0003157390.tif 000003
【図２】
0003157390.tif 000004
【図３】
0003157390.tif 000005
【図４】
0003157390.tif 000006
【手続補正書】
【提出日】平成21年12月2日(2009.12.2)
【手続補正１】
【補正対象書類名】実用新案登録請求の範囲
【補正対象項目名】全文
【補正方法】変更
【補正の内容】
【実用新案登録請求の範囲】
【請求項１】
天地方向に設置する２本の伸縮式パイプ支柱と、当該両支柱の上先端部に橋架け装着する１本のネット懸架部を主構成部品とする組立て式園芸用ネット懸架装置。
【請求項２】
前記ネット懸架部は布帛或いは繊維製テープまたは樹脂製の外装部と該外装部に挿入する心材によって成し、前記伸縮式パイプ支柱径より小さな径を有する円形挿入孔を前記外装部の長辺方向の両端に各１穴を設ける請求項１記載の組立て式園芸用ネット懸架装置。
【請求項３】
２本の前記伸縮式パイプ支柱の上先端部より約１０ｃｍ程度の部位にテーパー加工を施し、前記ネット懸架部に設けた円形挿入孔に前記伸縮式パイプ支柱の上先端部が挿入されることを特徴とする請求項１記載の組立て式園芸用ネット懸架装置。